(57)【特許請求の範囲】
【請求項１】
コネクタ内の可撓性の係止ランスで端子を係止し、治具棒を孔部から該コネクタ内に挿入して、該治具棒で係止ランスを係止解除方向に撓ませるコネクタの端子係止解除構造において、
前記孔部に続き、且つ前記係止ランスの前端に向けて治具棒案内用のガイド板が配置され、該係止ランスの前端部に、該治具棒の先端部に対する摺接用の前下がりの傾斜ガイド面と、前記端子の段部に対する係止突部とが並列に形成され、該係止突部が後下がりの傾斜面を有し、該後下がりの傾斜面が該係止ランスの真直部に続いたことを特徴とするコネクタの端子係止解除構造。
【請求項２】
前記孔部が前記治具棒をガタ付きなく挿入させるものであることを特徴とする請求項１記載のコネクタの端子係止解除構造。
【請求項３】
前記ガイド板に治具棒案内用のガイド溝が形成され、前記孔部の内面と該ガイド溝のガイド面とが同一面に位置することを特徴とする請求項１又は２記載のコネクタの端子係止解除構造。
【請求項４】
前記ガイド板が前記係止ランスの先端の近傍まで延長されたことを特徴とする請求項１〜３の何れかに記載のコネクタの端子係止解除構造。
【請求項５】
前記治具棒の先端部に、前記傾斜ガイド面に対する押接部と、前記係止突部の前端面に対する当接段部とが形成されたことを特徴とする請求項１〜４の何れかに記載のコネクタの端子係止解除構造。
【請求項６】
前記押接部に、前記傾斜ガイド面に接する傾斜面が形成されたことを特徴とする請求項５記載のコネクタの端子係止解除構造。
【請求項７】
コネクタハウジングの前端部に装着するフロントホルダに前記孔部と前記ガイド板とが設けられたことを特徴とする請求項１〜６の何れかに記載のコネクタの端子係止解除構造。
【請求項８】
前記端子ガイド板と、該ガイド板に対向する前記端子の先端側の壁部との間に前記治具棒が挿入されて、該治具棒の先端部が前記係止ランスの前記傾斜ガイド面に向かうことを特徴とする請求項１〜７の何れかに記載のコネクタの端子係止解除構造。
【発明の詳細な説明】
【０００１】
【発明の属する技術分野】
本発明は、コネクタハウジング内の係止ランスを治具棒でこじることなく、係止ランスと端子との係合を容易に解除することのできるコネクタの端子係止解除構造に関するものである。
【０００２】
【従来の技術】
図１１は、従来のコネクタの端子係止解除構造の一例（実開平７−１４５７７号）を示すものである。
この構造は、合成樹脂製のコネクタハウジング５１の上側の開口５２から治具棒５３を斜めに差し込んで、コネクタハウジング５１内の可撓性の係止ランス５４をこじり上げて、端子５５と係止ランス５４との係合を解除させるものである。
【０００３】
上側の開口５２に隣接して、係止ランス５４のこじり方向に停止壁５６が設けられ、係止ランス５４の過度の変形が防止されている。また、コネクタハウジング５１の前端側において、上側の開口５２に隣接して、テーパ状の短いガイド面５７を有する支持壁５８が設けられている。ガイド面５７に沿って治具棒５３を開口５２からコネクタハウジング５１内に挿入し、支持壁５８を支点として、治具棒５３で係止ランス５４の先端をこじるようにして持ち上げる。コネクタハウジング５１の前端壁５９には、係止ランス５４を成形するための型抜き孔６０が設けられている。
【０００４】
コネクタハウジング５１には上下二段に端子収容室６１が設けられ、上下の各端子収容室６１に端子５５が背中合わせに収容される。開口５２は各端子収容室６１の外側に対称に設けられている。係止ランス５４は停止壁５６と端子５５との間に位置している。係止ランス５４の内側の突部５４ａが端子５５の係合孔に進入して、端子５５が後抜けなく係止される。コネクタハウジング５１と端子５５とでコネクタ６２が構成される。
【０００５】
しかしながら、上記従来の構造にあっては、治具棒挿入用の開口５２をコネクタハウジング５１の上下の外側壁に設けるために、端子収容室６１が二段又は一段に限定され、多段（三段以上）の多極コネクタを得ることができないという問題があった。また、コネクタハウジング５１の前端壁５９に、係止ランス成形用の型抜き孔６０があるために、作業者が間違って型抜き孔６０に治具棒５３を挿入し、端子５５をこじって変形させてしまうといった問題があった。
【０００６】
一方、図１２(a)(b)は、従来のコネクタの端子係止解除構造の他の例を示すものである。
この構造は、コネクタハウジング６５の前端壁６６に治具棒挿入用の孔部６７を設けて、治具棒６８を前方からコネクタハウジング６５内に水平に挿入し、係止ランス６９の先端に係合させて、孔部６７の端縁を支点として図１２(b) の矢印ロの如く回動させて、係止ランス６９をこじり上げることにより、端子７０と係止ランス６９の係合を解除させるものである。
【０００７】
治具棒挿入用の孔部６７は係止ランス成形用の型抜き孔を代用したものであり、孔部６７はかなり大きなものとなっている。コネクタハウジング６５の前端壁６６には、治具棒挿入用の孔部６７の下側に相手端子挿入用の孔部７１が設けられている。端子７０は雌型のものであり、孔部７１から相手側コネクタ（図示せず）の雄型の端子が挿入されて、端子７０に接続される。この構造によれば、端子７０の多段配列が可能となる。
【０００８】
【発明が解決しようとする課題】
しかしながら、上記図１２(a)(b)における従来の構造にあっては、治具棒挿入用の孔部６７を係止ランス成形用の大きな型抜き孔で代用しているために、治具棒６８の挿入位置が定まらず、係止ランス６９のこじり操作を正確に行い難いという問題があった。また、手探りで治具棒６８を係止ランス６９に突き当てたり、手探りで係止ランス６９をこじったりするために、係止ランス６９や端子７０を傷めやすいという問題があった。また、前例（図１１）でもそうであるが、治具棒５３，６８をこじる動作にテコの原理を応用しているために、必要以上に大きな力が作用しやすく、係止ランス５４，６９をコネクタハウジング５１，６５の外側壁５６，７２に強く押圧することで、係止ランス５４，６９を変形させてしまうという懸念があった。さらに、治具棒５３，６８をコネクタハウジング５１，６５内に挿入してからこじるという二つの動作が必要であるために、係止解除作業が面倒であるという問題があった。
【０００９】
本発明は、上記した各従来例の問題点に鑑み、端子を多段に配置できるのは勿論のこと、治具棒を正確に係止ランスにアプローチでき、係止ランスを変形や傷みなく、且つ簡単な操作で、正確に撓ませることができるコネクタの端子係止解除構造を提供することを目的とする。
【００１０】
【課題を解決するための手段】
上記目的を達成するために、本発明は、コネクタ内の可撓性の係止ランスで端子を係止し、治具棒を孔部から該コネクタ内に挿入して、該治具棒で係止ランスを係止解除方向に撓ませるコネクタの端子係止解除構造において、前記孔部に続き、且つ前記係止ランスの前端に向けて治具棒案内用のガイド板が配置され、該係止ランスの前端部に、該治具棒の先端部に対する摺接用の前下がりの傾斜ガイド面と、前記端子の段部に対する係止突部とが並列に形成され、該係止突部が後下がりの傾斜面を有し、該後下がりの傾斜面が該係止ランスの真直部に続いたことを特徴とする（請求項１）。
前記孔部が前記治具棒をガタ付きなく挿入させるものであることも有効である（請求項２）。また、前記ガイド板に治具棒案内用のガイド溝が形成され、前記孔部の内面と該ガイド溝のガイド面とが同一面に位置することも有効である（請求項３）。また、前記ガイド板が前記係止ランスの先端の近傍まで延長されたことも有効である（請求項４）。
また、前記治具棒の先端部に、前記傾斜ガイド面に対する押接部と、前記係止突部の前端面に対する当接段部とが形成されたことも有効である（請求項５）。また、前記押接部に、前記傾斜ガイド面に接する傾斜面が形成されたことも有効である（請求項６）。また、コネクタハウジングの前端部に装着するフロントホルダに前記孔部と前記ガイド板とが設けられたことも有効である（請求項７）。また、前記端子ガイド板と、該ガイド板に対向する前記端子の先端側の壁部との間に前記治具棒が挿入されて、該治具棒の先端部が前記係止ランスの前記傾斜ガイド面に向かうことも有効である（請求項８）。
【００１１】
【発明の実施の形態】
以下に本発明の実施の形態の具体例を図面を用いて詳細に説明する。
図１〜図３は、本発明に係るコネクタの端子係止解除構造の一実施例を示すものである。
図１の如く、合成樹脂製のコネクタハウジング１の前端部に合成樹脂製のフロントホルダ２が設けられ、フロントホルダ２に、コネクタハウジング１内の可撓性の係止ランス３に対する治具棒挿入用の孔部４と、コネクタハウジング１内の端子５に対する相手端子挿入用の孔部６とが設けられている。
【００１２】
治具棒挿入用の孔部４の内径は治具棒７の外径に合わせて設定されている。正確には孔部４の内径は治具棒７の外径よりも僅かに大きく設定されている。孔部４は係止ランス３の先端（前端）に対向して配置されている。孔部４の中心線（図示せず）は係止ランス３の水平な真直部１２の中心線と平行に位置している。孔部４はフロントホルダ２の前端壁８の厚さと同一の長さで、前端壁８に対して垂直に形成されている。孔部４の内径と長さとは治具棒７をガタ付き（振れ）なく真直に支持できる程度のものである。
【００１３】
また、孔部４の下側内面と同一平面上に、フロントホルダ２から係止ランス３の前端側に向けてガイド板９が突設されている。ガイド板９の延長線（図示せず）と係止ランス３の真直部１２の延長線（図示せず）とは平行に位置する。ガイド板９は係止ランス３の先端の近傍まで真直に延長されている。ガイド板９はフロントホルダ２の前端壁８に対して垂直に形成され、孔部４の長さよりもかなり長く（孔部４の長さの二倍程度の長さに）形成されている。孔部４とガイド板９とは係止ランス３の撓み方向とは直交する方向に延びている。
【００１４】
図２にも示す如く、係止ランス３は先端側にテーパ状の傾斜ガイド面１０を有している。傾斜ガイド面１０は治具棒挿入用の孔部４（図１）に対向している。傾斜ガイド面１０の始端１０ａは係止ランス３の下面に極めて近接している。すなわち、係止ランス３の先端部は傾斜ガイド面１０によって略くさび状に尖っている。これにより、治具棒７の先端が傾斜ガイド面１０に確実に接触する。
【００１５】
傾斜ガイド面１０の終端１０ｂは係止ランス３の頂部とほぼ一致し、終端１０ｂは傾斜ガイド面１０とは逆向きの勾配で後側の傾斜面１１に続き、傾斜面１１は係止ランス３の基部側の真直部１２（図１）の上面に続いている。図１の如く、基部側の真直部１２は前記ガイド板９の上面側のガイド面１３の延長線上に位置して、コネクタハウジング１に一体に続いている。コネクタハウジング１の下側の外側壁１４と係止ランス３との間にはランス撓み空間１５が設けられている。ガイド板９は外側壁１４の内側に挿入され、ガイド板９の先端はランス撓み空間１５に対向して位置している。
【００１６】
図２の如く、係止ランス３の傾斜ガイド面１０の側方には並列に台形状ないし矩形状の係止突部１６が一体に形成され、係止突部１６は後側の傾斜面１８を経て真直部１７に続き、傾斜面１８と真直部１７とは段差１９を介して傾斜ガイド面１０の後側の傾斜面１１と真直部１２（図１）とに並列に続いている。係止突部１６が端子５（図１）の下側の段部２０（図１）に係合して、端子５を後抜けなく係止する。傾斜ガイド面１０の頂部（１０ｂ）と係止突部１６の頂部とはほぼ同じ高さ、ないしは係止突部１６の方がやや高く設定されている。係止ランス３を正面から見た場合、幅方向の一方に傾斜ガイド面１０が位置し、他方に係止突部１６が位置する。
【００１７】
図１の如く、治具棒７の先端部には、係止ランス３の傾斜ガイド面１０に対するテーパ状の傾斜面２１を有する押接部２５と、係止突部１６（図２）の前端面（先端面）１６ａに対する当接段部２２とが形成されている。治具棒７の後端側は大径なグリップ２３に続いている。コネクタハウジング１と端子５とフロントホルダ２とでコネクタ２４が構成される。
【００１８】
治具棒７はコネクタ２４の前端側から孔部４に挿入され、孔部４の内面４ａと同一平面のガイド板９のガイド面１３に沿って、図３の矢印イの如く端子５の長手方向に真直に進入する。ガイド板９と、ガイド板９に対向する端子５の先端側の壁部２８との間に治具棒７が挿入される。図３において、治具棒７は全長の大部分の長さの範囲でガイド板９と孔部４の内面４ａ（図１）とに隙間なく接触している。これは孔部４の内径が治具棒７の外径とほぼ同程度の寸法に設定されているからに他ならない。
【００１９】
治具棒７はガタ付きや振れなく、係止ランス３の傾斜ガイド面１０に向けて挿入される。そして、治具棒７の先端部すなわち下向きの傾斜面２１が係止ランス３の上向きの傾斜ガイド面１０に摺接しつつ、係止ランス３を撓み空間１５側に下向きに押圧して撓ませる。これにより、係止突部１６（図２）と端子５の段部２０との係合が解除される。治具棒７をコネクタハウジング１内に直線的に進入させるという一動作で、係止ランス３が確実に押し下げられ、端子５の係止が簡単に解除される。治具棒７を挿入した状態で端子付きの電線（図示せず）を後方に引っ張ることで端子５が抜き出される。
【００２０】
図４〜図６は、上記係止ランス３と治具棒７の構造を示す説明図（上面図）である。
図４の如く、フロントホルダ２の治具棒挿入用の孔部４（本例で孔部４は矩形状に形成されている）はガイド板９のガイド面１３に同一平面で且つ同一幅で続いている。孔部４の中心線（図示せず）は係止ランス３の傾斜ガイド面１０側にやや偏心して位置している。孔部４の内径ｄ1 よりも係止ランス３の幅Ｓ1 が広く形成され、係止ランス３は全長に渡って同一の幅Ｓ1 で形成されている。
【００２１】
図５の如く、治具棒７の外径Ｄ1 は孔部４の内径ｄ1 にほぼ等しい（正確には孔部４の内径ｄ1 が若干大きい）。治具棒７の先端部には係止ランス３の傾斜ガイド面１０に対する押接部２５が突出形成され、押接部２５の側方は矩形状に切欠されている。押接部２５の長さＬ1 は傾斜ガイド面１０の長さＬ2 にほぼ等しく、押接部２５の幅Ｓ2 は傾斜ガイド面１０の幅Ｓ3 よりもやや小さい。押接部２５に隣接する切欠部２６の前端面すなわち当接段部２２は係止ランス３の係止突部１６の垂直な前端面１６ａに平行に対向している。
【００２２】
図６の如く、治具棒７の先端側の押接部２５が係止ランス３の傾斜ガイド面１０に摺接して係止ランス３を押し下げ、端子５（図３）の係止が解除された状態で、治具棒７の切欠部２６（図５）の前端面すなわち当接段部２２が係止ランス３の係止突部１６の前端面１６ａに当接する。これにより、治具棒７がそれ以上押し込まれることがなく、係止ランス３を必要以上に撓ませることが回避され、係止ランス３の変形が防止される。
【００２３】
治具棒７の当接段部２２が係止ランス３の前端面１６ａに当接すると同時に、グリップ２３の前端面２３ａをフロントホンダ２の前端壁８に当接させることも可能であり、これにより、係止ランス３の長手方向への不必要な押圧が防止される。
【００２４】
図７〜図１０は、前記端子５（図３）を多段に収容可能なコネクタハウジング３１とそれに対応するフロントホルダ３２の実施形態をそれぞれ示すものである。図１と同一の構成部分には同一の符号を用いて説明する。
【００２５】
図７の如く、合成樹脂製のコネクタハウジング３１には多段（本例で四段）に端子収容室３３が設けられている。各端子収容室３３の底壁３４と一体に且つ底壁３４の延長線上に可撓性の係止ランス３が形成され、係止ランス３が底壁３４の一部を兼ねている。端子収容室３３の長手方向の中間部には、端子二重係止用のスペーサ（図示せず）に対する挿入孔３５が形成されている。
【００２６】
コネクタハウジング３１の前端部において係止ランス３の前方には、端子収容室３３とほぼ同じ幅の開口３６（図８）が設けられている。開口３６は係止ランス３の成形時の型抜き孔を兼ねている。
【００２７】
左右の各端子収容室３３は隔壁３７（図８）で隔てられ、隔壁３７の下端は係止ランス３の上端と同じ高さに位置している。係止ランス３は図２で示した如く幅方向の一方に傾斜ガイド面１０（図８）を有し、他方に係止突部１６を有している。コネクタハウジング３１の前端部には、外周壁３８（図８）で囲まれた大きな開口３９が形成され、開口３９に図９のフロントホルダ３２が嵌合される。開口３９の側縁に、フロントホルダ３２に対する係止部４０が形成されている。
【００２８】
図９の如く、フロントホルダ３２の前端壁８には、各端子収容室３３（図７）に対応する複数の端子挿入用の孔部６が整列して設けられている。孔部６の周囲には、相手側コネクタ（図示せず）の雄端子に対するガイドテーパ面４１が形成されている。前端壁８の周囲に、コネクタハウジング３１（図８）の係止部４０に対する係合突部４２が形成されている。前端壁８には、端子挿入用の孔部６の下側において治具棒挿入用の矩形状の孔部４が整列して設けられている。孔部４は、係止ランス３（図８）の傾斜ガイド面１０の位置に対応して端子挿入用の孔部６の片側寄りに偏心して配置されている。
【００２９】
図１０の如く、フロントホルダ３２の前端壁８の裏面側に、治具棒案内用のガイド板９が複数段に突出して設けられている。各ガイド板９は並列な各治具棒挿入用の孔部４の下側に沿って前端壁８の幅方向に連続して形成されている。各ガイド板９は前端壁８に対して直角に且つ水平に突出している。
【００３０】
各ガイド板９には、各治具棒挿入用の孔部４に対応して、孔部４と同一幅の凹字状のガイド溝４３が形成され、ガイド溝４３の底面であるガイド面１３が孔部４の下側の内面と同一平面上に続いている。孔部４の両側面はガイド溝４３の両側面に真直に続いている。ガイド溝４３は孔部４からガイド板９の先端（後端）に達するまで直線的に形成されている。図１０で、４２は、コネクタハウジング３１（図８）に対する係合突部、４５は、位置決め用のガイド突部である。
【００３１】
図７の如く、フロントホルダ３２の各ガイド板９はコネクタハウジング３１の前端側の開口３９から係止ランス３に向けて挿入される。各ガイド板９の先端下側には、挿入性を良くするためのテーパ面４６が形成されている。フロントホルダ３２をコネクタハウジング３１に装着した状態で、各ガイド板９は図１の如く係止ランス３の前端のやや下側に近接して対向する。以下、治具棒７を挿入して係止ランス３を係止解除方向に撓ませて、端子５（図１）の係止を解除する動作は図１〜図６と同様であるので説明を省略する。
【００３２】
図７に示す多段多極型のコネクタハウジング３１においては、最下段の係止ランス３の下側に外側壁１４（図１）は設けられていない。コネクタハウジング３１の上部には、相手側の雌型のコネクタハウジング（図示せず）に対するロックアーム４７が設けられている。本例のコネクタハウジング３１は雄型のものである。コネクタハウジング３１とフロントホルダ３２と端子５（図１）とで多段式の多極コネクタが構成される。
【００３３】
なお、図１における治具棒７の先端側の傾斜面２１は係止ランス３の傾斜ガイド面１０に治具棒７をよりスムーズに摺接させるのに役立っているが、傾斜面２１を形成しない場合でも、係止ランス３に傾斜ガイド面１０がある限り、治具棒７の先端部を傾斜ガイド面１０に摺接させつつ係止ランス３を係止解除方向に撓ませることが可能である。また、本例の治具棒７は矩形状に形成し、ガイド板９に対して面接触させることで、直進性を高めて、係止ランス３に対する治具棒７の位置ずれを防止しているが、治具棒挿入用の孔部４の内径をほぼ治具棒７の外径と同じにして、且つ孔部４の長さを長くすることで、断面円形の治具棒（図示せず）と円形の孔部でも十分に対応可能である。
【００３４】
また、係止ランス３は、図２の如く係止突部１６と傾斜ガイド面１０とを並列に形成して、端子５（図１）の係止と係止解除とを別々に行わせて、係止と係止解除の信頼性を高めているが、傾斜ガイド面１０の頂部１０ｂに係止突部の作用をさせて、頂部１０ｂで端子５（図１）を係止させることも可能であり、この場合は係止ランス３の幅寸法がほぼ半減され、コネクタハウジング１の幅方向のコンパクト化とファインピッチ化に役立つ。また、コネクタハウジング１は図７のような多段式のものに限らず、単段式のものであってもよく、フロントホルダ２，３２は各コネクタハウジング１，３１の形状に応じて形成可能である。
【００３５】
また、樹脂成形技術上で可能であれば、フロントホルダ２，３２をコネクタハウジング１，３１と一体化させ、フロントホルダを一体化させたコネクタハウジング（図示せず）に治具棒挿入用の孔部４やガイド板９を形成してもよい。また、係止ランス３は例えばスペーサ（図示せず）に設ける等して、コネクタハウジング１，３１とは別体のものであってもよい。また、本文中における上下の方向の定義付けはあくまでも実施例に限ったものであり、コネクタ２４の使用状態においては上記した上下が１８０°反転したり、９０°反転したりすることもあり得る。
【００３６】
【発明の効果】
以上の如く、請求項１又は８記載の発明によれば、治具棒が孔部を経てガイド板によって係止ランスの先端部に向けて真直に且つ確実に案内され、治具棒の先端部が係止ランスの傾斜ガイド面に摺接しつつ、係止ランスを係止解除方向に撓ませるから、治具棒の挿入操作（一つの操作）のみで簡単に且つ確実に端子の係止を解除することができる。また、従来のような係止ランスのこじり動作を全く行う必要がないから、係止ランスの傷付きや変形が確実に防止される。また、係止ランスの先端に対向して治具棒挿入用の孔部を設けたから、コネクタ内に端子を多段に配置できる。また、傾斜ガイド面とは独立した係止突部によって端子の係止が確実に行われ、端子の係止力が増大する。
【００３７】
また、請求項２記載に発明によれば、治具棒が孔部内でガタ付かないから、治具棒の挿入方向が正確に規定され、治具棒の先端部が係止ランスの先端部に正確にアプローチされる。それにより、従来の手探りの治具棒操作で治具棒で係止ランスや端子を傷付けたり変形させたりする恐れがなくなる。また、請求項３記載の発明によれば、ガイド溝に沿って治具棒が係止ランスに正確に案内されるから、請求項２と同様に係止ランスや端子を傷付けたり変形させたりする恐れが確実になくなる。また、請求項４記載の発明によれば、ガイド板と係止ランスとの間で治具棒が位置ずれする危険が最小限に抑えられるから、アプローチが一層正確化する。
【００３８】
また、請求項５記載の発明によれば、押接部が係止ランスを係止解除方向に撓ませ、端子の係止が解除された状態で、当接段部が停止突部に当接して、治具棒のそれ以上の押し込み操作をできなくするから、係止ランスの撓ませ過ぎが防止され、係止ランスの変形が確実に防止される。また、請求項６記載の発明によれば、治具棒の傾斜面が係止ランスの傾斜ガイド面にスムーズに摺接することで、係止解除操作が小さな力で楽に行われる。また、請求項７記載の発明によれば、コネクタハウジングとは別体のフロントホルダに孔部を設けたことで、コネクタハウジングの係止ランス成形用の大きな型抜き孔とは関係なく、小さな径の治具棒挿入用の孔部を設定することができ、それにより請求項２の効果が発揮される。すなわち治具棒が孔部内でガタ付かず、治具棒の挿入方向が正確に規定され、治具棒の先端部が係止ランスの先端部に正確にアプローチされ、それにより、従来の手探りの治具棒操作で治具棒で係止ランスや端子を傷付けたり変形させたりする恐れがなくなる。また、別体のフロントホルダにガイド板を設けることで、孔部とガイド板とを繋ぎ目なく完全に連続して形成することができ、治具棒のスムーズな挿入と正確な位置決めとが可能となる。
【図面の簡単な説明】
【図１】本発明に係るコネクタの端子係止解除構造の一実施例を示す縦断面図である。
【図２】係止ランスを示す斜視図である。
【図３】端子の係止を解除した状態を示す縦断面図である。
【図４】係止ランスと治具棒挿入用の孔部の構造を示す説明図（上面図）である。
【図５】係止ランスと治具棒の構造を示す説明図（上面図）である。
【図６】同じく治具棒で係止ランスを撓ませた状態を示す説明図（上面図）である。
【図７】コネクタハウジングとフロントホルダの一形態を示す縦断面図である。
【図８】同じくコネクタハウジングを示す正面図である。
【図９】フロントホルダを示す正面図である。
【図１０】フロントホルダを示す斜視図である。
【図１１】一従来例を示す縦断面図である。
【図１２】(a)(b)は他の従来例を操作順に示す縦断面図である。
【符号の説明】
１，３１  コネクタハウジング
２，３２  フロントホルダ
３        係止ランス
４        孔部
５        端子
７        治具棒
９        ガイド板
１０      傾斜ガイド面
１３      ガイド面
１６      係止突部
２１      傾斜面
２２      当接段部
２５      押接部
２８ 壁部
４３      ガイド溝
【図１】
0003539672.tif 000002
【図２】
0003539672.tif 000003
【図３】
0003539672.tif 000004
【図４】
0003539672.tif 000005
【図５】
0003539672.tif 000006
【図６】
0003539672.tif 000007
【図７】
0003539672.tif 000008
【図８】
0003539672.tif 000009
【図９】
0003539672.tif 000010
【図１０】
0003539672.tif 000011
【図１１】
0003539672.tif 000012
【図１２】
0003539672.tif 000013